(57)【要約】【課題】  使用状態によっても不意に外れたりしない着脱内衿及び着脱衿台を使用するシャツを提供する。【解決手段】  係合部３５と被係合部３６により着脱可能な着脱衿台２０を有するシャツ１であって、着脱衿台２０はシャツ１の生地と異なる生地を用いた表面部３１と係合部３５を配する裏面部３２とを有し、着脱衿台２０を着脱するシャツ１の衿台２には、前記係合部３５と係合する被係合部３６を有し、前記着脱衿台２０の湾曲部２１，２１を挿入可能な衿先収納ポケット１０，１０を有することを特徴とする。【選択図】  図３
0003234969.tif 000002
【実用新案登録請求の範囲】
【請求項１】
係合部を有する着脱可能な着脱衿台を有するシャツであって、
前記着脱衿台は、前記シャツの衿台に沿った長手方向長さを有し、前記シャツの生地と異なる生地を用いた表面部と、係合部を配する裏面部とを有するものであって、
前記衿台は、前記係合部と係合する被係合部を有し、前記着脱衿台の両端を挿入可能な衿先収納ポケットを有することを特徴とする着脱衿台を用いたシャツ。
【請求項２】
着脱衿台は、表面部と裏面部との周囲を縫着した袋状に形成し、裏面部に縫着した係合部である円形ボタンを有し、
被係合部はシャツの衿台に形成されたボタン穴であることを特徴とする請求項１に記載の着脱衿台を用いたシャツ。
【請求項３】
着脱衿台の左右両端は、上縁から湾曲して下縁に至る湾曲部を有し、
シャツの衿台の衿先収納ポケットは、前記衿台の上縁からいったん下方に垂下して縫着する絞り領域を有することを特徴とする請求項１または２に記載の着脱衿台を用いたシャツ。
【請求項４】
シャツの後身頃は、肩ヨークを配する部位にメッシュ材を配し、前記肩ヨークの下縁を開放した開放部を有することを特徴とする請求項１，２または３のいずれか一項に記載の着脱衿台を用いたシャツ。
【考案の詳細な説明】
【技術分野】
【０００１】
本考案は、衿台付きシャツに着脱可能な衿台を配するものに関する。
【背景技術】
【０００２】
従来から夏季の吸汗用の合せ衿に関するシャツが提供されている（特許文献１）。特許文献１に開示される合せ衿は、マグネットと着脱テープにより着脱可能にしている。
【先行技術文献】
【特許文献】
【０００３】
【特許文献１】特開２００１−３３６０１１号公報
【考案の概要】
【考案が解決しようとする課題】
【０００４】
特許文献１の合せ衿は、マグネットと着脱テープによりシャツに着脱可能にするものであるが、シャツの衿部分は着用者の動きにより伸縮するものであり、使用時に不意に外れたりする危険性があった。そこで、使用状態によっても不意に外れたりしない着脱内衿及び着脱衿台を使用するシャツが求められていた。
【課題を解決するための手段】
【０００５】
本考案の着脱衿台を用いたシャツは、係合部を有する着脱可能な着脱衿台を有するシャツであって、前記着脱衿台は、前記シャツの衿台に沿った長手方向長さを有し、前記シャツの生地と異なる生地を用いた表面部と、係合部を配する裏面部とを有するものであって、前記衿台は、前記係合部と係合する被係合部を有し、前記着脱衿台の両端を挿入可能な衿先収納ポケットを有することを特徴とする。
【０００６】
また、着脱衿台は、表面部と裏面部との周囲を縫着した袋状に形成し、裏面部に縫着した係合部である円形ボタンを有し、被係合部はシャツの衿台に形成されたボタン穴であるが好ましい。
【０００７】
また、着脱衿台の左右両端は、上縁から湾曲して下縁に至る湾曲部を有し、
シャツの衿台の衿先収納ポケットは、前記衿台の上縁からいったん下方に垂下して縫着する絞り領域を有することが好ましい。
【０００８】
また、シャツの後身頃は、肩ヨークを配する部位にメッシュ材を配し、前記肩ヨークの下縁を開放した開放部を有することが好ましい。
【考案の効果】
【０００９】
請求項１に記載の考案により、シャツの衿台に着脱衿台を適宜使用することで、夏場は汗取り、冬場は保温用の衿台を適宜使用することができる。また、裏面部の被係合部でシャツの衿台に着脱しつつ、長手方向両端を衿先収容ポケットに収容することで衿台の周囲に着脱衿台を容易に装着することができ、不意に外れたりしない着脱衿台を用いたシャツを提供することができる。
【００１０】
請求項２に記載の考案により、着脱衿台を袋状とすることで、裏面部側に配される係合部であるボタンを配置するに際し、ボタンを縫着する部分が表面部側に露出せず、着脱衿台を違和感なく使用することが可能になる。また、この構成によると被係合部は衿台に開けられたボタン穴が被係合部となるが、ボタン穴は衿本体により外部に露出しないように形成されている。
【００１１】
請求項３に記載の考案により、衿先収容ポケットに挿入していくに際して、着脱衿台の突出した下縁から挿入することとなり、上縁から垂下する絞り領域が形成されることで、挿入時に上縁側から押さえつけるようになって、挿入・保持をしやすくしている。さらに言うと、着脱衿台は、本実施形態ではボタンとなる係合部と被係合部により一応は固定するものであり、両端を固定した状態で差し入れることとなるが、本実施形態の上縁から下縁への湾曲部と絞り領域があることで、湾曲部のみを容易に差し入れ、不意に端部が外れたりすることがない着脱衿台を有するシャツを提供することができる。
【００１２】
請求項４に記載の考案により、着脱衿台を開放する接続縁と、裏地のメッシュ材を有することで、通気性がよく快適なシャツを提供することが可能になる。さらに着脱衿台に汗取り用のパイル生地を用いればより快適なシャツを提供することができる。
【図面の簡単な説明】
【００１３】
【図１】本考案の着脱衿台を用いたシャツの一例を示す全体正面図である。
【図２】本考案の着脱衿台を用いたシャツの一例を示す背面図であって、衿元付近を一部拡大した一部拡大背面図である。
【図３】シャツの前側ボタンを開けて衿元を開き、衿本体を立てた状態の一部拡大正面図である。
【図４】シャツの前側ボタンを開けて衿元を開き、衿本体を立てた状態の一部拡大背面図である。
【図５】図３の状態から着脱衿台を外した状態の一部拡大正面図である。
【図６】着脱衿台を示すものであって、（ａ）は正面図、（ｂ）は背面図、（ｃ）は（ｂ）のＡ−Ａ線拡大断面図である。
【考案を実施するための形態】
【００１４】
本考案の実施の一例について図面に沿って説明する。本説明において、被服、シャツの正面側を表面部とし、その反対側を裏面部として説明する。また、説明における上下左右とは、正面図の図面上の上下左右の方向を示すものである。
【００１５】
図１、図２に示すように、本考案の着脱衿台２０は、主に衿本体６に衿台２を有するシャツ１に用いるものである。シャツ１は、前身頃３、後身頃４、肩ヨーク５を有し、衿台２は、前身頃３と肩ヨーク５の上縁に沿って周縁となるように配置される。
【００１６】
図３、図４、図５に示すように、本考案の着脱衿台２０は、左右方向を長手方向とする略長方形状の形状を有する。左右方向の長手方向は、シャツ１の衿本体６の根元部分となる衿台２の衿元ボタン７と衿元ボタン穴８との周縁に渡る長さよりも若干短くしている。この長手方向長さによるものであるため、着脱衿台２０を衿台２に装着しても、左右端が衿元ボタン７，衿元ボタン穴８にかからず、衿元ボタンの係合を邪魔しない。
【００１７】
図６に示すように、着脱衿台２０の左右端は、幅方向の一方縁が湾曲してアール状となり湾曲部２１，２１が形成される。本実施形態では、上縁２２，２２の端部付近から緩やかに下方に向けて湾曲し（第１湾曲部分）、さらに側方で急激な湾曲となって（第２湾曲部分）、下縁２３，２３に至るまで全体的に湾曲するようにしている。湾曲部２１，２１は、上縁から下縁に掛けてすべて同じ曲率半径の湾曲である必要はなく、下縁付近では直線状になっていてもよい。
【００１８】
着脱衿台２０の長手方向の長さは、シャツ１のサイズに合わせて、３００ｍｍ乃至４００ｍｍの長さを有するところ、湾曲部２１，２１は、緩やかに湾曲する第１湾曲部分の端は左右端から７０ｍｍ程度の部分であることが好ましい。
【００１９】
着脱衿台２０は、表面部３１と裏面部３２とからなり、両者は異なる素材を用いている。本実施形態の表面部３１と裏面部３２とは、上縁２２，２２を内部に折り返して縫合し、下縁２３を縫合することにより接合している。つまり、着脱衿台２０の周囲を縫着することで、内部を空間とする袋状に形成している。その他の実施形態として、表面部３１と裏面部３２とをボタンや両面テープ等で接合してもよい。
【００２０】
着脱衿台２０の表面部３１は、シャツの生地と異なる異種の生地を採用し、着用者にシャツと異なる使用感を得させることができる。異種の生地は、適宜使用に合った生地を採用することができ、夏用として汗取り用のパイル生地、冬用として保温用の保温生地や発熱生地を適宜採用することができる。本実施形態では汗取り用としてパイル生地を用いている。
【００２１】
着脱衿台２０の裏面部３２は、表面部３１と異なり、本実施形態ではシャツ１と同じ生地を用いている。裏面部３２の生地は、一般的にシャツに用いるコットン、リネン、ポリエステル生地を用いてもよい。
【００２２】
着脱衿台２０の裏面部３２には、係合部３５が配置されている。本実施形態の係合部３５はボタンであり、長手方向を有する着脱衿台２０の裏面部３２の幅方向中央に沿って、適宜４カ所に等間隔で配置されている。ボタンによる係合部３５とすることで、安易に外れにくいだけでなく、ボタンを縫い付けるとしても着脱衿台２０が表面部３１と裏面部３２とを接合した袋状となることから、ボタンの縫い付け跡が表面部３１側に露出することがなく、使用時に違和感を生じないようにしている。着脱衿台２０の裏面部３２に配置される係合部３５は、本実施形態のボタンだけでなく、両面テープ等の他の形態であってもよい。
【００２３】
シャツ１の衿台２には、係合部３５、３５と係合するための被係合部３６，３６が形成される。本実施形態ではボタンによる係合部３５，３５であることから、被係合部３６，３６としてはボタン穴となる。ボタン穴を被係合部とすることで、衿台２からボタンが後身頃側に露出することとなるが、衿台２から折り返される衿本体６により露出することがない。
【００２４】
図３，図５に示すように、シャツの衿台２は、左右両端の形状に沿った布地を縫着して袋状とした衿先収容ポケット１０，１０が形成される。衿先収容ポケット１０，１０は、衿台２の両端に同形状の布体を合わせてポケット状、袋状に形成している。両側各々の衿先収容ポケット１０，１０の中央側縁は開放されたポケット開口１１，１１となっており、このポケット開口１１，１１から着脱衿台２０の両端を挿入して、衿先収容ポケット１０，１０内に収容することができる。
【００２５】
衿先収容ポケット１０，１０のポケット開口１１，１１の付近では、ポケット全体に比して上縁から一段下方に垂下する絞り領域１２，１２が形成されている。具体的には、衿先収容ポケット１０，１０がシャツの衿台２の周縁に沿って縫着されているが、ポケット開口１１，１１側から長手方向の約３分の１乃至２分の１の長さで、高さを約６分の１程度狭めるようにして縫着している。
【００２６】
本実施形態の着脱衿台２０は、両端が上縁２２から下縁２３にかけて湾曲する湾曲部２１，２１が形成されており、下縁２３が最も突出した状態となっている。衿先収容ポケット１０，１０に挿入していくに際して、着脱衿台２０の突出した下縁２３から挿入することとなる。上縁から垂下する絞り領域１２，１２が形成されることで、挿入時に上縁側から押さえつけるようになり、挿入をしやすくするとともに、挿入状態を保持しやすくしている。さらに言うと、着脱衿台２０は、本実施形態ではボタンとなる係合部３５と被係合部３６により固定するものであり、固定した状態で両端を挿入、差し入れることとなるが、本実施形態の上縁から下縁への湾曲部２１，２１と絞り領域１２，１２があることで、湾曲部２１，２１のみを容易に差し入れることができる。
【００２７】
図２，図４に示すように、本実施形態のシャツ１は、後身頃４の裏地であって、肩ヨーク５がかかる部位にメッシュ材４１を配している。さらに背面図に示すように、後身頃４と肩ヨーク５との接続縁を開放する開放部４２を有し、通気性を良くしている。この開放部４２は適宜の箇所（本実施形態では３カ所）で縫着部４３，４３で部分的に縫着している。この実施形態によると、着脱衿台２０を夏場用のパイル生地を用い、開放する開放部４２と、裏地のメッシュ材４１を有することで、通気性がよく制汗作用を有する快適なシャツを提供することが可能になる。
【符号の説明】
【００２８】
１…シャツ、２…衿台、５…肩ヨーク、１０…衿先収容ポケット、１２…絞り領域、２０…着脱衿台、２１…湾曲部、２２…上縁、２３…下縁、３１…表面部、３２…裏面部、３５…係合部、４１…メッシュ材、４２…開放部。
【図１】
0003234969.tif 000003
【図２】
0003234969.tif 000004
【図３】
0003234969.tif 000005
【図４】
0003234969.tif 000006
【図５】
0003234969.tif 000007
【図６】
0003234969.tif 000008